(57)【要約】【課題】通帳などの記録媒体に印字を行うにあたって、記録媒体の真贋を正確に判断し、偽造媒体への秘密情報の印字を防止する。【解決手段】プリンター１は、通帳Ｐ上に印字を行う印刷部５と、通帳Ｐ上に記録された磁気情報を読み取る磁気情報読取部３と、通帳Ｐ上において少なくとも不可視インクにより記録された画像を読み取る画像読取部２と、読み取った磁気情報と不可視インクの画像から得られた情報とに基づいて、印刷部５による通帳Ｐへの印字の可否を判断する印字判断部４とを備える。【選択図】図１
2014043034.tif 000002
【特許請求の範囲】
【請求項１】
記録媒体に印字を行う印刷部と、
前記記録媒体に記録された磁気情報を読み取る磁気情報読取部と、
前記記録媒体において少なくとも不可視インクにより記録された画像を読み取る画像読取部と、
読み取った前記磁気情報と前記不可視インクの画像から得られた情報とに基づいて、前記印刷部による前記記録媒体への印字の可否を判断する印字判断部とを備えたプリンター。
【請求項２】
前記画像読取部は、前記画像から文字情報を認識する文字認識機能を備えていることを特徴とする請求項１記載のプリンター。
【請求項３】
前記画像読取部は、前記文字情報として記録された暗号を解読する機能をさらに備えたことを特徴とする請求項２記載のプリンター。
【請求項４】
前記画像読取部は、赤外線または紫外線を前記記録媒体に照射可能な光源を備え、前記光源により照射された前記記録媒体の前記不可視インクによる画像を読み取ることを特徴とする請求項１から３のいずれか一項に記載のプリンター。
【請求項５】
前記磁気情報読取部は、前記記録媒体に添付された磁気テープの読み書きを行う磁気ヘッドを備えていることを特徴とする請求項１から４のいずれか一項に記載のプリンター。
【請求項６】
前記磁気情報読取部は、前記記録媒体に磁気インクを用いて印刷された磁気インク文字の磁気情報を読み取る機能を有することを特徴とする請求項１から５のいずれか一項に記載のプリンター。
【請求項７】
前記画像読取部は、前記磁気インク文字の画像を光学的に読み取る機能を有し、前記印字判断部は、前記磁気インク文字の磁気情報と前記磁気インク文字の画像とから前記磁気インク文字による文字情報を特定し、前記不可視インクの画像から得られた情報と比較することを特徴とする請求項６記載のプリンター。
【請求項８】
記録媒体に記録された磁気情報を読み取るとともに、前記記録媒体に不可視インクにより記録された画像を読取り、
前記磁気情報と前記画像から得られた情報とを照合して、前記記録媒体への印字の可否を判断し、
印字可能と判断された場合に、前記記録媒体への印字を行うことを特徴とする記録媒体への印字方法。
【発明の詳細な説明】
【技術分野】
【０００１】
本発明は、銀行通帳などの真贋確認が必要な記録媒体に対して印字を行うことが可能なプリンターおよび当該記録媒体への印字方法に関する。
【背景技術】
【０００２】
銀行通帳などの真贋確認が必要な記録媒体には、利用者情報を記録した磁気テープを添付しておき、印字の際には、こうした利用情報を確認して印字動作を開始することが一般的行われている。
またこれとは別に、有価証券類の真贋を判定するために、不可視インクを用いてこれらの用紙に偽造防止措置を施す方法が提案されている（特許文献１）。
【先行技術文献】
【特許文献】
【０００３】
【特許文献１】特開２００２−２０５３８４号公報
【発明の概要】
【発明が解決しようとする課題】
【０００４】
しかしながら、磁気テープによる利用者情報自体を書き換えられたり、磁気テープそのものをはがして別の記録媒体に添付されたりすることにより、記録媒体の真贋確認が困難となることが懸念される。
たとえ、特許文献１記載のように用紙にあらかじめ偽造防止措置が施してあったとしても、同様の用紙を用いて磁気テープのみが貼りかえられた場合には、真贋を正確に判定することは困難となる。
【０００５】
本発明はこうした事情に鑑みてなされたものであり、通帳などの記録媒体に印字を行うにあたって、記録媒体の真贋を正確に判断することができ、これにより偽造媒体への秘密情報の印字を防止することが可能な技術を提供することを課題とする。
【課題を解決するための手段】
【０００６】
上記課題を解決するために、本発明の一態様のプリンターは、記録媒体に印字を行う印刷部と、
前記記録媒体に記録された磁気情報を読み取る磁気情報読取部と、
前記記録媒体において少なくとも不可視インクにより記録された画像を読み取る画像読取部と、
読み取った前記磁気情報と前記不可視インクの画像から得られた情報とに基づいて、前記印刷部による前記記録媒体への印字の可否を判断する印字判断部とを備える。
【０００７】
こうした構成によれば、記録媒体に印字を行うにあたって、磁気情報と、不可視インクによる画像情報とを照合することにより、記録媒体の真贋を正確に判断することができる。
【０００８】
本発明の別の態様においては、前記画像読取部は、前記画像から文字情報を認識する文字認識機能を備えていることを特徴とする。
【０００９】
こうした構成によれば、記録媒体に印刷された画像から照合に必要な情報を取得することが容易となる。
【００１０】
本発明のさらに別の態様においては、前記画像読取部は、前記文字情報として記録された暗号を解読する機能をさらに備えたことを特徴とする。
【００１１】
こうした構成によれば、記録媒体の偽造をより一層困難にすることができる。
【００１２】
本発明のさらに別の態様においては、前記画像読取部は、赤外線または紫外線を前記記録媒体に照射可能な光源を備え、前記光源により照射された前記記録媒体の前記不可視インクによる画像を読み取ることを特徴とする。
【００１３】
こうした構成によれば、赤外線または紫外線のみを反射する不可視インクを使用して、記録媒体に印刷された可視光による反射とは異なる画像を認識できるので、記録媒体の偽造をより困難にすることができる。
【００１４】
本発明のさらに別の態様においては、前記磁気情報読取部は、前記記録媒体に添付された磁気テープの読み書きを行う磁気ヘッドを備えていることを特徴とする。
【００１５】
こうした構成においては、記録媒体に添付された磁気テープの読み書きを行う通常の磁気ヘッドを利用することができる。
【００１６】
本発明のさらに別の態様においては、前記磁気情報読取部は、前記記録媒体に磁気インクを用いて印刷された磁気インク文字の磁気情報を読み取る機能を有することを特徴とする。
【００１７】
こうした構成によれば、記録媒体に磁気インクを用いて印刷された磁気インク文字の磁気情報を利用して記録媒体の照合を行うことができ、記録媒体の偽造がより一層困難となる。
【００１８】
本発明のさらに別の態様においては、前記画像読取部は、前記磁気インク文字の画像を光学的に読み取る機能を有し、前記印字判断部は、前記磁気インク文字の磁気情報と前記磁気インク文字の画像とから前記磁気インク文字による文字情報を特定し、前記不可視インクの画像から得られた情報と比較することを特徴とする。
【００１９】
こうした構成によれば、磁気インク文字の磁気情報と磁気インク文字の画像とから磁気インク文字による文字情報を特定するので、磁気インク文字からの磁気情報の読取りを正確に行うことが可能となる。
【００２０】
また、本発明の他の態様の記録媒体への印字方法は、記録媒体に記録された磁気情報を読み取るとともに、前記記録媒体に不可視インクにより記録された画像を読取り、
前記磁気情報と前記画像から得られた情報とを照合して、前記記録媒体への印字の可否を判断し、
印字可能と判断された場合に、前記記録媒体への印字を行うことを特徴とする。
【００２１】
こうした方法によれば、記録媒体に印字を行うにあたって、記録媒体の真贋を正確に判断することができ、これにより偽造媒体への秘密情報の印字を防止することが可能な方法を提供することができる。
【図面の簡単な説明】
【００２２】
【図１】本実施形態に係るプリンターの主要部の機能ブロック図である。
【図２】図１のプリンターにて印刷可能な通帳の一例を示す図である。
【図３】図２の通帳に不可視インクにて印刷された画像の一例を示す図である。
【図４】図１のプリンターの機能及び動作を説明する模式図である。
【図５】図１のプリンターの動作を説明するフローチャートである。
【図６】本実施形態のプリンターにて照合が可能な小切手の一例を示す図である。
【発明を実施するための形態】
【００２３】
以下、図面を参照しながら、本発明の一実施形態について詳細に説明する。
図１は、本実施形態に係るプリンター１の主要部の機能ブロック図である。プリンター１は、通帳（銀行通帳）に対して記帳を行うために用いられるものであり、画像読取部２と、磁気情報読取部３と、印字判断部４と、印刷部５と、制御部６と、通信部７と、を備える。画像読取部２は、読み取った画像データから文字情報を認識する文字認識機能（ＯＣＲ：Optical Character Recognition）を備えており、読み取った文字情報を制御部６に出力する。磁気情報読取部３は、通帳に添付された磁気テープに対して磁気情報を読み書きする。印字判断部４は、磁気情報読取部３が読み取った磁気情報と、画像読取部２が読み取った画像データから認識した文字情報とに基づいて通帳の照合を行い通帳への印字の可否を判断する。印刷部５は、通帳に対して、入金、出金、振込み等に関する情報などの印刷データを印刷する。制御部６は、プリンター１の各機能部（画像読取部２、磁気情報読取部３、印字判断部４、印刷部５、通信部７、図示しない搬送機構など）を適宜制御する。また、通信部７は、ホストコンピューター８に対して接続されており、制御部６からの指令により、ホストコンピューター８との間で、印刷データ、プリンターの制御コマンド、通帳の照合情報等の送受信を行う。
【００２４】
図２は、本実施形態に係るプリンター１にて印刷される記録媒体として銀行通帳の一例を示す図である。通帳Ｐは、銀行などの金融機関が発行する通帳であり、図２では、入金、出金、振込み等に関する情報が印刷されるページ面を開いた状態をページ面の垂直方向から示している。裏表紙は、通帳を閉じた際、通帳の表面または裏面になる面である。
【００２５】
通帳Ｐのページ面には所定の位置に、不可視インクにて画像Ｂが印刷されている。不可視インクとは、可視光線では発色しないインクであり、例えば赤外線のみで発色する特殊なインクである。
【００２６】
図３は、上記不可視インクにて印刷された画像Ｂの一例であり、銀行を特定できる銀行コードがバーコードで印刷された例を示している。なお、画像Ｂは可視光線では発色しないので本来は肉眼では判別できないものであるが、図３では説明のため肉眼で判別できるバーコードを図示している。
【００２７】
また、通帳Ｐの裏表紙には所定の位置に磁気テープＭＴが貼り付けられており、銀行を特定できる銀行コードを含む磁気情報がこの磁気テープＭＴ内に記録されている。
【００２８】
図４に、プリンター１の内部構造を模式的に示す。図４では、通帳Ｐをプリンター１の給排紙口９より給紙して内部に取り込んだ状態を示している。通帳Ｐは、記録媒体として、ページ面側が表面側、裏表紙側が裏面側として、図３に示す開いた状態で、プリンター１の内部に取り込まれる。給排紙口９から取り込まれた通帳Ｐは、図示しない搬送機構により、矢印Ａの方向に搬送され、内部に給紙されるとともに、所定の処理が終了した後に外部に排紙される。
【００２９】
画像読取部２は、可視光を照射する通常の光源に加えて、通帳Ｐに赤外線を照射する光源２ａを備えており、通帳Ｐからの赤外線の反射光を読み取る機能を有している。なお、図４では、画像読取部２は、通帳Ｐのページ面側（表面側）に設けられているが、記録媒体が他の種類である場合など、読み取る画像が裏面に印刷されている場合は裏面側に設けるようにしてもよい。また、各種の記録媒体に対応できるように、表面側および裏面側の両方に画像読取部２をそれぞれ設けるようにしてもよい。
【００３０】
また、画像読取部２は、ＯＣＲ機能により、通帳Ｐに赤外線のみで発色する特殊なインクで印刷された画像Ｂの文字情報を認識する。
【００３１】
磁気情報読取部３は、磁気ヘッド３ａを備えており、磁気ヘッド３ａにより、通帳Ｐに添付された磁気テープＭＴに記憶された情報を読み取る。
【００３２】
そして、印字判断部４は、磁気情報読取部３が通帳Ｐに添付された磁気テープＭＴから読み取った磁気情報と、画像読取部２が読み取った画像データから認識した文字情報とに基づいて通帳Ｐを照合して通帳Ｐへの印字の可否を判断する。
【００３３】
また、印刷部５は、印刷ヘッド５ａを備えており、印刷ヘッド５ａを用いて通帳Ｐに対して印字を行う。
【００３４】
次に、本実施形態に係るプリンターによる記録媒体への印字方法、すなわち、通帳Ｐの真贋の照合と通帳Ｐへの印刷（通帳への記帳）を行う一連の動作を、図５のフローチャートを参照して説明する。
【００３５】
まず、通帳Ｐの印刷するページ面を開いてプリンター１の給排紙口９から給紙する（ステップＳ１）。これにより、通帳Ｐは図示しない搬送機構で搬送されて、図４で示したように、プリンター１の内部に取り込まれる。
【００３６】
次に、制御部６は、磁気情報読取部３を駆動して、通帳Ｐに貼られた磁気テープＭＴの情報を読み取り、読み取った情報に含まれる銀行コードに関する情報を抽出する（ステップＳ２）。
【００３７】
次に、制御部６は、画像読取部２を駆動することにより、画像読取部２の光源２ａから通帳Ｐに赤外線を照射して画像Ｂを読み取る（ステップＳ３）。そして、読み取った画像Ｂのデータを画像読取部２で解析して、文字情報を認識して銀行コードを抽出する（ステップＳ４）。
【００３８】
そして、印字判断部４は、画像読取部２で抽出した銀行コードと、磁気情報読取部３で抽出した銀行コードとが一致したか否かを判断する（ステップＳ５）。すなわち、両者の銀行コードの照合を行い、通帳Ｐの真贋（本物か偽物か）を判断する。
【００３９】
銀行コードが一致したと判断した場合（ステップＳ５のＹＥＳの場合）は、通帳Ｐは本物であると判断され、「照合ＯＫ」の情報を通信部７を介してホストコンピューター８に送信する（ステップＳ６）。
【００４０】
ホストコンピューター８は、「照合ＯＫ」の情報を受信したら、入金、出金、振込み等に関する情報などの印刷データおよび印刷コマンドをプリンター１に送信する（ステップＳ７）。
【００４１】
そして、印刷データおよび印刷コマンドを受けて、制御部６は、印刷ヘッド５ａを駆動して印刷データを通帳Ｐに印刷し（ステップＳ８）、印刷が終了したら図示しない搬送機構を駆動して給排紙口９から通帳Ｐを排紙する（ステップＳ１０）。
【００４２】
一方、上記銀行コード照合の結果が一致しなかった場合（ステップＳ５のＮＯの場合）、通帳Ｐは本物ではないと判断されたか若しくは銀行コードの読み取りに不具合があったため、制御部６は通信部７を介して、「照合ＮＧ」の情報をホストコンピューター８に送信する（ステップＳ９）。
【００４３】
そして、ホストコンピューター８は、「照合ＮＧ」の情報を受信したら、排紙コマンドをプリンター１に送信し、制御部６はこれを受けて、通帳Ｐへの印刷を行わずに図示しない搬送機駆動して給排紙口９から通帳Ｐを排紙する（ステップＳ１０）。
【００４４】
以上のように、本願の実施形態に係るプリンター１は、通帳Ｐ（記録媒体）上に印字を行う印刷部５と、通帳Ｐ上に記録された磁気情報を読み取る磁気情報読取部３と、通帳Ｐ上において少なくとも不可視インクにより記録された画像を読み取る画像読取部２と、読み取った磁気情報と不可視インクの画像から得られた情報とに基づいて、印刷部５による通帳Ｐへの印字の可否を判断する印字判断部４とを備えている。したがって、磁気情報と不可視インクによる画像情報を照合することにより、通帳Ｐの真贋を正確に判断することができる。この場合、磁気情報が書き換えられたり、磁気テープが貼り替えられた場合にも、通帳Ｐの真贋を判定できるので、従来に比較して、偽造された通帳への秘密情報の印字を確実に防止することができる。
【００４５】
また、画像読取部２は、画像から文字情報を認識する文字認識機能を備えているので、通帳Ｐに印刷された画像から文字情報を認識して通帳Ｐの真贋の判断に必要な情報を、過大な負荷なく容易に取得することができる。
【００４６】
さらに、磁気情報読取部３は、通帳Ｐ上に添付された磁気テープＭＴの読み書きを行う磁気ヘッド３ａを備えているので、この磁気テープＭＴに書き込まれた磁気情報を、通帳Ｐの真贋の判定に利用することが可能であり、特別な装置を必要とすることなく、通帳Ｐの真贋の判定を実行することができる。
【００４７】
また、本実施形態のプリンターによる記録媒体への印字方法では、通帳Ｐ（記録媒体）上に記録された磁気情報を読み取るとともに、通帳Ｐ上に不可視インクにより記録された画像を読取り、磁気情報と画像から得られた情報とを照合して、通帳Ｐへの印字の可否を判断し、印字可能と判断された場合に、通帳Ｐへの印字を行うようになっている。したがって、通帳Ｐに印字を行うにあたり、従来に比較して通帳Ｐの真贋を確実に判断することができ、偽造通帳への秘密情報の印字を防止することができるとともに、偽造されにくい通帳の利用を促進することができる。
【００４８】
以上、実施形態に基づいて本発明に係るプリンターおよび記録媒体への印字方法について説明したが、上記実施形態は本発明の理解を容易にするためのものであって、本発明を限定するものではない。本発明は、その趣旨を逸脱することなく変更・改良され得ると共に、本発明にはその等価物が含まれる事は勿論である。
【００４９】
例えば、銀行コードは公知の暗号を使用して暗号化してもよく、画像読取部２は、文字情報として記録された暗号を解読する機能を画像読取部２に持たせるようにしてもよい。これにより、通帳Ｐに印刷する文字情報を暗号にできるので偽造を困難にすることができる。
【００５０】
また、読み取った画像データから抽出する情報は、銀行を特定できる情報であるならば、銀行コードでなくてもよく、例えば、銀行固有のマーク（ロゴマークなど）を抽出して、銀行を特定してもよい。
【００５１】
また、画像読取部２には、赤外線を照射する光源２ａの代わりに紫外線を通帳Ｐに照射する光源を設けてもよい。この場合は、画像読取部２が読み取る画像は、紫外線インク（紫外線のみを反射するインク）により印刷されたものとする。なお、赤外線を照射する光源２ａ及び紫外線を照射する光源の両方を備えて、赤外線インク及び紫外線インクのいずれのインクで印刷された画像の読み取りにも対応できるようにしてもよい。これにより、通帳Ｐ上に印刷された可視光による反射とは異なる画像を認識でき、通帳Ｐの偽造をより困難にすることができる。
【００５２】
また、照合の際に、磁気情報読取部３の磁気テープに対する読み書き機能に加えて、若しくは変えて、磁気インクによって印刷された磁気インク文字を認識するＭＩＣＲ（Magnetic Ink Character Recognition）機能を使用してもよい。ＭＩＣＲ機能を使用すれば、本実施形態のプリンターを使用して、図６に示すような小切手の認証を行うこともできる。
【００５３】
図６は、本実施形態のプリンターによって認証が可能な小切手の一例を示す図である。小切手Ｃには、偽造防止のため、磁気インクによって所定の認証番号ＭＩが印刷されている。これにより、例えば使用者のサインＳなどが認証番号ＭＩと重なっていても、磁気インク文字で印刷された認証番号ＭＩのみを読み取って認証することができる。
【００５４】
すなわち、画像読取部２が小切手上に磁気インクを用いて印刷された磁気インク文字の磁気情報を読み取る機能を有することにより、磁気インク文字の磁気情報から小切手の真贋を正確に判断することができる。なお、磁気インクで印刷された記録媒体は、上記小切手以外の記録媒体でもよく、例えば通帳Ｐに印刷してもよい。
【００５５】
また上記のように、画像読取部２が磁気インク文字の画像を光学的に読み取る機能を有する場合に、印字判断部４が磁気インク文字の磁気情報と磁気インク文字の画像とから磁気インク文字による文字情報を特定し、不可視インクの画像から得られた情報と比較するようにしてもよい。
【符号の説明】
【００５６】
１：プリンター、２：画像読取部、２ａ：光源、３：磁気情報読取部、３ａ：磁気ヘッド、４：印字判断部、５：印刷部、５ａ：印刷ヘッド、６：制御部、７：通信部、８：ホストコンピューター、９：給排紙口、Ｐ：通帳（記録媒体）、Ｂ：画像（バーコード）、ＭＴ：磁気テープ、Ｃ：小切手、ＭＩ：認証番号（磁気インクによって印刷された認証番号）
【図１】
2014043034.tif 000003
【図２】
2014043034.tif 000004
【図３】
2014043034.tif 000005
【図４】
2014043034.tif 000006
【図５】
2014043034.tif 000007
【図６】
2014043034.tif 000008